(57)【要約】【課題】専用設計の部品を要することなく、表示品位の向上を図る。【解決手段】液晶表示装置１０は、液晶パネル１１と、表示駆動部２４と、画素部ＰＸの列方向についての位置情報と、列方向について隣り合う２つの画素部ＰＸの階調値と、を記憶する記憶部２５と、を備え、表示駆動部２４は、２つの画素部ＰＸの階調値に基づいて第１補正階調値を得る第１補正処理３３と、２つの画素部ＰＸの階調値に基づいて２つの画素部ＰＸを明画素部ＨＰＸと暗画素部ＬＰＸとに分離して得た目的階調値を記憶部２５に記憶させる明暗分離処理３４と、明画素部ＨＰＸ及び暗画素部ＬＰＸの目的階調値と、後ろの明画素部ＨＰＸまたは暗画素部ＬＰＸの列方向についての位置情報と、を参照して後ろの明画素部ＨＰＸまたは暗画素部ＬＰＸの目的階調値を補正して得た実行階調値を記憶部２５に記憶させる第２補正処理３５と、を行う。【選択図】図６
2019204019.tif 000002
【特許請求の範囲】
【請求項１】
複数の画素部が行列状に配列される表示面を有する表示部品と、
複数の前記画素部を列方向について順次に表示駆動する表示駆動部と、
複数の前記画素部における前記表示面の面内における前記列方向についての位置情報と、前記列方向についての駆動順がｎ番目及び（ｎ＋１）番目の各前記画素部の階調値と、を少なくとも記憶する記憶部と、を備え、
前記表示駆動部は、
前記ｎ番目及び前記（ｎ＋１）番目の各前記画素部の前記階調値を前記記憶部から参照して前記（ｎ＋１）番目の前記画素部の前記階調値を補正して得た第１補正階調値を前記記憶部に記憶させる第１補正処理と、
前記ｎ番目及び前記（ｎ＋１）番目の各前記画素部の前記階調値を前記記憶部から参照してこれに基づいて前記ｎ番目の前記画素部と前記（ｎ＋１）番目の前記画素部とを相対的に高輝度な明画素部と相対的に低輝度な暗画素部とに分離して得た前記明画素部及び前記暗画素部の目的階調値を前記記憶部に記憶させる明暗分離処理と、
前記明暗分離処理の後に行われて前記ｎ番目及び前記（ｎ＋１）番目の前記明画素部及び前記暗画素部の前記目的階調値と、前記（ｎ＋１）番目の前記明画素部または前記暗画素部における前記表示面の面内での前記列方向についての前記位置情報と、を前記記憶部から参照して前記（ｎ＋１）番目の前記明画素部または前記暗画素部の前記目的階調値を補正して得た前記（ｎ＋１）番目の前記明画素部または前記暗画素部の実行階調値を前記記憶部に記憶させる第２補正処理と、を少なくとも行う表示装置。
【請求項２】
前記記憶部は、前記ｎ番目及び前記（ｎ＋１）番目の前記明画素部及び前記暗画素部の前記目的階調値と、前記（ｎ＋１）番目の前記明画素部または前記暗画素部における前記実行階調値の基準となる基準実行階調値と、の関係を記した補正データテーブルを記憶しており、
前記表示駆動部は、前記第２補正処理では、前記記憶部に記憶された前記補正データテーブルを参照して前記基準実行階調値を取得し、前記（ｎ＋１）番目の前記明画素部または前記暗画素部における前記列方向についての前記位置情報に基づいて前記基準実行階調値を前記実行階調値に補正する請求項１記載の表示装置。
【請求項３】
前記記憶部は、前記（ｎ＋１）番目の前記明画素部または前記暗画素部における前記列方向についての位置に応じた補正係数を記憶しており、
前記表示駆動部は、前記第２補正処理では、前記記憶部から前記（ｎ＋１）番目の前記明画素部または前記暗画素部における前記補正係数を参照し、前記基準実行階調値と前記（ｎ＋１）番目の前記明画素部または前記暗画素部における前記目的階調値との差分に前記補正係数を掛け合わせて得た第２補正階調値を前記（ｎ＋１）番目の前記明画素部または前記暗画素部における前記目的階調値に足し合わせることで前記実行階調値を得る請求項２記載の表示装置。
【請求項４】
前記記憶部は、前記補正データテーブルに記される前記基準実行階調値及び前記補正係数が、複数の前記画素部のうちの前記表示駆動部の駆動終了端位置にある前記画素部を基準としている請求項３記載の表示装置。
【請求項５】
前記表示駆動部は、前記明暗分離処理を前記第１補正処理の後に行う請求項１から請求項４のいずれか１項に記載の表示装置。
【請求項６】
前記表示駆動部は、前記明暗分離処理を前記第１補正処理の前に行う請求項１から請求項４のいずれか１項に記載の表示装置。
【請求項７】
前記表示駆動部は、前記明暗分離処理では前記ｎ番目及び前記（ｎ＋１）番目の各前記画素部の前記階調値を比較し、その差分が閾値より高い場合は前記ｎ番目及び前記（ｎ＋１）番目の各前記画素部を前記明画素部及び前記暗画素部に分離せず、前記差分が前記閾値より低い場合は前記ｎ番目及び前記（ｎ＋１）番目の各前記画素部を前記明画素部及び前記暗画素部に分離して前記目的階調値を前記記憶部に記憶させ、前記第１補正処理では前記明暗分離処理にて前記明画素部及び前記暗画素部に分離されなかった前記ｎ番目及び前記（ｎ＋１）番目の各前記画素部の前記階調値を補正して前記第１補正階調値を前記記憶部に記憶させるのに対し、前記第２補正処理では前記明暗分離処理にて分離された前記明画素部及び前記暗画素部の前記目的階調値に基づいて前記明画素部または前記暗画素部の実行階調値を前記記憶部に記憶させる請求項６記載の表示装置。
【請求項８】
請求項１から請求項７のいずれか１項に記載の表示装置を備えるテレビ受信装置。
【発明の詳細な説明】
【技術分野】
【０００１】
本発明は、表示装置及びテレビ受信装置に関する。
【背景技術】
【０００２】
従来の液晶表示装置の一例として下記特許文献１に記載されたものが知られている。特許文献１に記載された液晶表示装置は、液晶表示パネルの周縁部に、駆動用ＩＣを備えたソース駆動回路が複数個接続され、外部からの電源電圧が特定のソース駆動回路から隣接するソース駆動回路に順次供給されるものであり、電圧供給方向上流側に位置する駆動用ＩＣに対して、駆動用ＩＣから電圧供給方向下流側に隣接する駆動用ＩＣまでの信号配線とほぼ等価な配線抵抗算出用配線を形成する。駆動用ＩＣは、配線抵抗算出用配線の一端に算出用電圧を出力して他端の電圧を検出することによって配線抵抗値を算出し、算出した配線抵抗値に基づいて電圧降下値を算出し、算出した電圧降下値分だけ電圧値を引き上げた電源電圧を下流側の駆動用ＩＣに出力する。
【先行技術文献】
【特許文献】
【０００３】
【特許文献１】特開２００５−２８４０２６号公報
【発明の概要】
【発明が解決しようとする課題】
【０００４】
上記した特許文献１に記載された液晶表示装置によれば、順次伝送される電源電圧の電圧降下が防止されて駆動用ＩＣの誤動作が防止されるので、表示品位の向上が図られる。しかしながら、配線抵抗値を算出するために専用の配線抵抗算出用配線を要するため、専用設計のＦＰＣが必要になり、コストが高くなりがちとなり、また高精細化が進行した場合に配線抵抗算出用配線の配置スペースを確保するのが困難になるおそれがある。
【０００５】
本発明は上記のような事情に基づいて完成されたものであって、専用設計の部品を要することなく、表示品位の向上を図ることを目的とする。
【課題を解決するための手段】
【０００６】
本発明の表示装置は、複数の画素部が行列状に配列される表示面を有する表示部品と、複数の前記画素部を列方向について順次に表示駆動する表示駆動部と、複数の前記画素部における前記表示面の面内における前記列方向についての位置情報と、前記列方向についての駆動順がｎ番目及び（ｎ＋１）番目の各前記画素部の階調値と、を少なくとも記憶する記憶部と、を備え、前記表示駆動部は、前記ｎ番目及び前記（ｎ＋１）番目の各前記画素部の前記階調値を前記記憶部から参照して前記（ｎ＋１）番目の前記画素部の前記階調値を補正して得た第１補正階調値を前記記憶部に記憶させる第１補正処理と、前記ｎ番目及び前記（ｎ＋１）番目の各前記画素部の前記階調値を前記記憶部から参照してこれに基づいて前記ｎ番目の前記画素部と前記（ｎ＋１）番目の前記画素部とを相対的に高輝度な明画素部と相対的に低輝度な暗画素部とに分離して得た前記明画素部及び前記暗画素部の目的階調値を前記記憶部に記憶させる明暗分離処理と、前記明暗分離処理の後に行われて前記ｎ番目及び前記（ｎ＋１）番目の前記明画素部及び前記暗画素部の前記目的階調値と、前記（ｎ＋１）番目の前記明画素部または前記暗画素部における前記表示面の面内での前記列方向についての前記位置情報と、を前記記憶部から参照して前記（ｎ＋１）番目の前記明画素部または前記暗画素部の前記目的階調値を補正して得た前記（ｎ＋１）番目の前記明画素部または前記暗画素部の実行階調値を前記記憶部に記憶させる第２補正処理と、を少なくとも行う。
【０００７】
このようにすれば、表示部品の表示面の面内において行列状に並ぶ複数の画素部が表示駆動部により列方向について順次に表示駆動されることで、表示面には所定の画像が表示される。詳しくは、表示駆動部により第１補正処理が行われると、列方向についてｎ番目及び（ｎ＋１）番目の各画素部の階調値に基づいて（ｎ＋１）番目の画素部の階調値が補正されて第１補正階調値が得られる。得られた第１補正階調値は記憶部に記憶される。ここで、例えば表示面に黒色（最小階調値）または白色（最大階調値）の文字と、文字に隣接する中間階調値の背景と、が表示される場合、文字を表示する画素部と、背景を表示する画素部と、の階調差が大きくなるため、文字を表示する画素部に隣接していて背景を表示する画素部の表示階調が目的の値からずれる可能性がある。これに対し、上記した第１補正処理が行われれば、文字を表示する画素部に隣接していて背景を表示する画素部の表示階調が補正されることで目的の値に近くなり、それにより優れた表示品位が得られる。
【０００８】
一方、表示駆動部により明暗分離処理が行われると、記憶部に記憶されたｎ番目及び（ｎ＋１）番目の各画素部の階調値に基づいてｎ番目の画素部と（ｎ＋１）番目の画素部とが相対的に高輝度な明画素部と相対的に低輝度な暗画素部とに分離される。明画素部及び暗画素部は、それぞれの目的階調値の平均階調がｎ番目及び（ｎ＋１）番目の各画素部の階調値を平均した値となるよう設定される。明画素部及び暗画素部の目的階調値は、記憶部に記憶される。これにより、列方向について隣り合う明画素部と暗画素部との平均階調を利用した表示を行うことができるので、視野角特性に優れる。
【０００９】
ところで、上記した明暗分離処理にて列方向について隣り合うｎ番目の画素部と（ｎ＋１）番目の画素部とを明画素部と暗画素部とに分離すると、その明暗の差に起因して実際の表示階調が目的階調値からずれる可能性がある。それに加えて、列方向について表示駆動部から遠い画素部では、列方向について表示駆動部に近い画素部に比べると、電圧降下が生じ易く、それに起因して実際の表示階調が目的階調値からずれる可能性がある。その点、明暗分離処理の後で表示駆動部により第２補正処理が行われると、列方向についてｎ番目及び（ｎ＋１）番目の明画素部及び暗画素部の目的階調値と、（ｎ＋１）番目の明画素部または暗画素部における表示面の面内での列方向についての位置情報と、に基づいて（ｎ＋１）番目の明画素部または暗画素部の目的階調値が補正されて実行階調値が得られる。（ｎ＋１）番目の明画素部または暗画素部が記憶部に記憶された実行階調値に基づいて駆動されることで、ｎ番目の暗画素部または明画素部との間に明暗の差が生じていても、（ｎ＋１）番目の明画素部または暗画素部の実際の表示階調を目的階調値に近くすることができ、優れた表示品位が得られる。しかも、（ｎ＋１）番目の明画素部または暗画素部の実行階調値は、列方向についての位置に応じたものに補正されているので、電圧降下に起因して実際の表示階調が目的階調値からずれる事態が生じ難くなる。以上により、従来のような専用設計の部品を要することなく、表示品位の向上が図られる。なお、上記した「ｎ」は、自然数である。
【発明の効果】
【００１０】
本発明によれば、専用設計の部品を要することなく、表示品位の向上を図ることができる。
【図面の簡単な説明】
【００１１】
【図１】本発明の実施形態１に係るテレビ受信装置の概略構成を示す分解斜視図
【図２】テレビ受信装置が備える液晶表示装置を構成する液晶パネル、フレキシブル基板及びコントロール基板の平面図
【図３】液晶パネルの概略的な断面図
【図４】液晶パネルを構成するアレイ基板の表示領域における配線構成を示す平面図
【図５】液晶パネルの表示駆動に関する構成の関係を表すブロック図
【図６】液晶パネルの表示駆動に関する処理手順を表す図
【図７】記憶部に記憶された第２補正データテーブルを示す図
【図８】記憶部に記憶された第３補正データテーブルを示す図
【図９】ソース配線に伝送される画像信号に係る電位の時間変化を表す図
【図１０】本発明の実施形態２に係る液晶パネルの表示駆動に関する処理手順を表す図
【図１１】本発明の実施形態３に係る液晶パネルの表示駆動に関する処理手順を表す図
【図１２】本発明の実施形態４に係る液晶パネルの表示駆動に関する処理手順を表す図
【発明を実施するための形態】
【００１２】
＜実施形態１＞
本発明の実施形態１を図１から図９によって説明する。本実施形態では、液晶表示装置１０について例示する。なお、各図面の一部にはＸ軸、Ｙ軸及びＺ軸を示しており、各軸方向が各図面で示した方向となるように描かれている。また、図３などに示す上側を表側とし、同図下側を裏側とする。
【００１３】
本実施形態に係るテレビ受信装置１０ＴＶは、図１に示すように、全体として横長の略方形状をなす液晶表示装置１０と、当該液晶表示装置１０を挟むようにして収容する表裏両キャビネット１０Ｃ１，１０Ｃ２と、電源１０Ｐと、テレビ信号を受信するチューナー（受信部）１０Ｔと、スタンド１０Ｓと、を備えて構成される。液晶表示装置１０は、図２に示すように、画像を表示する表示面１１ＤＳを有する液晶パネル（表示パネル）１１と、液晶パネル１１に表示のための光を供給するバックライト装置（照明装置）と、を備え、これらが枠状のベゼル（バックライト装置共々図示せず）などにより一体的に保持される。なお、バックライト装置は、液晶パネル１１に対して裏側（背面側）に配置され、白色の光（白色光）を発する光源（例えばＬＥＤなど）や光源からの光に光学作用を付与することで面状の光に変換する光学部材などを有する。
【００１４】
次に、液晶パネル１１について説明する。液晶パネル１１は、図２に示すように、表示面１１ＤＳの中央側部分により構成されて画像が表示される表示領域（アクティブエリア）ＡＡと、表示面１１ＤＳの外周側部分により構成されて表示領域ＡＡを取り囲む額縁状（枠状）をなすとともに画像が表示されない非表示領域（ノンアクティブエリア）ＮＡＡと、に区分されている。なお、図２において一点鎖線により囲った範囲が表示領域ＡＡである。液晶パネル１１は、一対のほぼ透明な（透光性を有する）ガラス製の基板１１Ａ，１１Ｂを貼り合わせてなる。一対の基板１１Ａ，１１Ｂのうち表側（正面側）がＣＦ基板（対向基板）１１Ａとされ、裏側（背面側）がアレイ基板（アクティブマトリクス基板）１１Ｂとされる。ＣＦ基板１１Ａは、短辺寸法がアレイ基板１１Ｂの同寸法よりも小さくされるとともに、アレイ基板１１Ｂに対してＹ軸方向についての一方（図２に示す上側）の短辺側端部を揃えた状態で貼り合わせられている。従って、アレイ基板１１ＢのうちＹ軸方向についての他方（図２に示す下側）の短辺側端部は、ＣＦ基板１１Ａが重なり合うことがないＣＦ基板非重畳部１１Ｂ１とされる。ＣＦ基板非重畳部１１Ｂ１には、一端側が信号供給源であるコントロール基板２２に接続されたフレキシブル基板２１の他端側が実装されている。フレキシブル基板２１は、合成樹脂材料（例えばポリイミド系樹脂等）からなるフィルム状の基材を備えることで可撓性を有しており、その基材上にドライバ２３が表面実装されるとともに多数本の配線パターン（図示せず）が配索形成されている。図２に示す状態からフレキシブル基板２１が折り返し状に屈曲されることで、コントロール基板２２は、バックライト装置の背面側に配される。ドライバ２３は、フレキシブル基板２１に対してＣＯＦ（Chip On Film）実装されている。ドライバ２３は、内部に駆動回路を有するＬＳＩチップからなり、コントロール基板２２から伝送される各種信号を処理し、液晶パネル１１へ出力する。
【００１５】
液晶パネル１１は、図３に示すように、一対の基板１１Ａ，１１Ｂに加えて、両基板１１Ａ，１１Ｂ間に介在し、電界印加に伴って光学特性が変化する物質である液晶分子（液晶材料）を含む液晶層１１Ｃと、液晶層１１Ｃの周りを封止するよう周方向に沿って延在するとともに両基板１１Ａ，１１Ｂを液晶層１１Ｃの厚さ分のギャップを維持した状態で貼り合わせるシール部（図示せず）と、を少なくとも備える。液晶パネル１１は、バックライト装置から供給される光を利用して表示領域ＡＡに画像を表示することができ、その表側が出光側とされている。なお、両基板１１Ａ，１１Ｂの外面側には、それぞれ偏光板１２が貼り付けられている。
【００１６】
液晶パネル１１を構成する両基板１１Ａ，１１Ｂのうち表側（正面側）がＣＦ基板１１Ａとされ、裏側（背面側）がアレイ基板１１Ｂとされる。アレイ基板１１Ｂのうちの表示領域ＡＡの内面側（液晶層１１Ｃ側、ＣＦ基板１１Ａとの対向面側）には、図３及び図４に示すように、スイッチング素子であるＴＦＴ（Thin Film Transistor：表示素子）１３及び画素電極１４がＸ軸方向（行方向）及びＹ軸方向（列方向）に沿って多数個ずつマトリクス状（行列状）に並んで設けられるとともに、これらＴＦＴ１３及び画素電極１４の周りには、格子状をなすゲート配線（走査配線）１５及びソース配線（信号配線、データ配線）１６が取り囲むようにして配設されている。ゲート配線１５は、Ｘ軸方向に沿って概ね直線状に延在していて走査信号を伝送するのに対し、ソース配線１６は、Ｙ軸方向に沿って概ね直線状に延在していて画像信号を伝送する。ゲート配線１５は、ＴＦＴ１３のゲート電極に、ソース配線１６は、ＴＦＴ１３のソース電極に、それぞれ接続されているのに対し、画素電極１４は、ＴＦＴ１３のドレイン電極に接続されている。そして、ＴＦＴ１３は、ゲート配線１５から走査信号が供給されることで駆動され、ソース配線１６に供給される画像信号を画素電極１４に供給することで、画素電極１４を画像信号に基づく電位に充電する。画素電極１４は、ゲート配線１５及びソース配線１６により囲まれた略方形の領域に配されており、ＩＴＯ（Indium Tin Oxide：酸化インジウム錫）或いはＺｎＯ（Zinc Oxide：酸化亜鉛）といった透明電極膜からなる。既述した通り、画素電極１４は、Ｘ軸方向及びＹ軸方向に沿って多数個ずつ並んで配されているが、このうちＹ軸方向に沿って直線状に並ぶ多数個の画素電極１４には、共通のソース配線１６がＴＦＴ１３を介して接続されている。従って、Ｙ軸方向に沿って並んで列をなす画素電極１４群は、共通のソース配線１６から画像信号の供給を受けることになる。
【００１７】
一方、ＣＦ基板１１Ａのうちの表示領域ＡＡの内面側には、図３に示すように、アレイ基板１１Ｂ側の各画素電極１４と対向状をなす位置に多数個のカラーフィルタ１７がマトリクス状に並んで設けられている。カラーフィルタ１７は、赤色、緑色及び青色（Ｒ，Ｇ，Ｂ）の三色を呈するものが所定の順で繰り返し並んで配置される。各色のカラーフィルタ１７は、各色に係る特定の波長範囲の光を選択的に透過する。つまり、赤色のカラーフィルタ（赤色カラーフィルタ）１７は、赤色の波長領域の光を、緑色のカラーフィルタ（緑色カラーフィルタ）１７は、緑色の波長領域の光を、青色のカラーフィルタ（青色カラーフィルタ）１７は、青色の波長領域の光を、それぞれ選択的に透過する。各カラーフィルタ１７間には、混色を防ぐための格子状の遮光層（ブラックマトリクス）１８が形成されている。遮光層１８は、上記したゲート配線１５及びソース配線１６と平面に視て重畳する配置とされる。カラーフィルタ１７及び遮光層１８の表面には、アレイ基板１１Ｂ側の画素電極１４と対向するベタ状の対向電極１９が設けられている。対向電極１９は、常に一定の基準電位に保たれている。また、両基板１１Ａ，１１Ｂの内面側には、液晶層１１Ｃに含まれる液晶分子を配向させるための配向膜２０がそれぞれ形成されている。
【００１８】
この液晶パネル１１においては、図３に示すように、カラーフィルタ１７と、カラーフィルタ１７と対向する画素電極１４と、が画素部ＰＸを構成している。画素部ＰＸは、カラーフィルタ１７が呈する色に応じた表示色を呈する。具体的には、赤色のカラーフィルタ１７を有するものが赤色の表示色となる赤色の画素部（赤色画素部）ＰＸであり、緑色のカラーフィルタ１７を有するものが緑色の表示色となる緑色の画素部（緑色画素部）ＰＸであり、青色のカラーフィルタ１７を有するものが青色の表示色となる青色の画素部（青色画素部）ＰＸである。なお、図２では、赤色のカラーフィルタ１７及び画素部ＰＸを「Ｒ」にて、緑色のカラーフィルタ１７及び画素部ＰＸを「Ｇ」にて、青色のカラーフィルタ１７及び画素部ＰＸを「Ｂ」にて、それぞれ示している。これら赤色、緑色及び青色の各画素部ＰＸは、Ｘ軸方向（行方向）に沿って繰り返し並んで配されるとともに、Ｙ軸方向（列方向）に沿って同色のものがそれぞれ連続して並んで配されている。これにより、液晶パネル１１には、異なる色を呈する多数の画素部ＰＸが行列状に配列されている。そして、この液晶パネル１１においては、Ｙ軸方向に沿って隣り合う赤色、緑色及び青色の３色の画素部ＰＸによって所定の階調のカラー表示を可能な表示画素が構成されている。各色の画素部ＰＸを構成する各画素電極１４は、接続されたＴＦＴ１３の駆動によってソース配線１６から供給される画像信号に基づく電位に充電され、その電位と対向電極１９の基準電位との電位差に基づいて各色の画素部ＰＸにおける液晶層１１Ｃの配向状態が変化し、もって各色の画素部ＰＸ毎に液晶パネル１１の透過光量、つまり表示階調が個別に制御されるようになっている。各ＴＦＴ１３に接続された各ゲート配線１５及び各ソース配線１６には、アレイ基板１１Ｂの端部に接続されたフレキシブル基板２１を介してコントロール基板２２（図２を参照）に備わる表示駆動部２４（図５を参照）から走査信号及び画像信号がそれぞれ供給されるようになっている。表示駆動部２４は、各ゲート配線１５に対して図４に示される上側から順次に走査信号を供給することで各ＴＦＴ１３を順次に駆動するとともに、各画素部ＰＸの表示階調に応じて例えば０〜２５５の階調値をとる２５６階調の画像信号を各ソース配線１６に供給する。
【００１９】
ここで、液晶パネル１１における具体的な表示駆動について説明する。コントロール基板２２に備わる表示駆動部２４は、図４に示すように、複数の画素部ＰＸに、相対的に高輝度な（明るい）明画素部ＨＰＸと、相対的に低輝度な（暗い）暗画素部ＬＰＸと、が含まれるように表示駆動している。具体的には、表示駆動部２４は、Ｙ軸方向について隣り合う画素部ＰＸが明画素部ＨＰＸ及び暗画素部ＬＰＸとなり、Ｘ軸方向について隣り合う画素部ＰＸが明画素部ＨＰＸ及び暗画素部ＬＰＸとなるよう表示駆動を行っている。そして、表示駆動部２４は、Ｙ軸方向について隣り合う明画素部ＨＰＸの表示階調と暗画素部ＬＰＸの表示階調との平均階調が目的の表示階調となるように表示駆動を行っている。これにより、使用者が液晶パネル１１の表示面１１ＤＳをどのような角度から視認した場合でも使用者に知覚される輝度（明るさ）が均等化されるようになっており、もって視野角補正を図ることができる。また、表示駆動部２４は、各画素部ＰＸに対して画像信号に係る極性を周期的に反転させる反転駆動を行っており、それにより液晶層１１Ｃの劣化を防ぐようにしている。
【００２０】
ところで、上記したようにＹ軸方向について隣り合う画素部ＰＸを明画素部ＨＰＸ及び暗画素部ＬＰＸとした表示駆動を行う場合には、明画素部ＨＰＸ及び暗画素部ＬＰＸの階調差に起因して実際の表示階調が目的階調値からずれる可能性がある。例えば、ソース配線１６により明画素部ＨＰＸに高階調の画像信号を供給した直後に、暗画素部ＬＰＸに低階調の画像信号を供給すると、暗画素部ＬＰＸにおける実際の表示階調が目的階調値よりも高くなり易い傾向にある。逆に、ソース配線１６により暗画素部ＬＰＸに低階調の画像信号を供給した直後に、明画素部ＨＰＸに高階調の画像信号を供給すると、明画素部ＨＰＸにおける実際の表示階調が目的階調値よりも低くなり易い傾向にある。それに加えて、ソース配線１６は、フレキシブル基板２１に実装されたドライバ２３から出力された画像信号を伝送しており、ドライバ２３に近い配置の画素部ＰＸに比べると、ドライバ２３から遠い配置の画素部ＰＸでは配線抵抗に起因する電圧降下が生じるおそれがある。つまり、ドライバ２３から画素部ＰＸに至るまでのソース配線１６の配線長が長くなるほど生じる電圧降下の影響が大きくなり、それに起因して画素部ＰＸにおける実際の表示階調が目的階調値よりも低くなる傾向にある。なお、図４に示す下側の画素部ＰＸは、ドライバ２３に近い配置となり、同図上側の画素部ＰＸは、ドライバ２３から遠い配置となっている。
【００２１】
そこで、本実施形態に係る液晶表示装置１０は、図５に示すように、コントロール基板２２に設けられた表示駆動部２４及び記憶部２５により図６に示される処理を順次に行うことで、各画素部ＰＸの表示駆動を行っている。表示駆動部２４は、記憶部２５に記憶された情報を用いることで、図６に示すように、デジタルムラ補正処理３０と、デジタルガンマ処理３１と、オーバーシュート処理３２と、第１補正処理３３と、明暗分離処理３４と、第２補正処理３５と、アナログガンマ処理３６と、を順次に行う。このうち、デジタルムラ補正処理３０では、例えばテレビ放送波に含まれる輝度分布情報に基づいて階調値（輝度）が極度に低い箇所に関しては階調値を高くし、階調値が極度に高い箇所に関しては階調値を低くする補正が行われる。デジタルガンマ処理３１では、例えばテレビ放送波に係るデジタルデータを液晶パネル１１の表示特性に適合したガンマカーブを用いて変換している。オーバーシュート処理３２では、画素部ＰＸに供給される画像信号における立ち上がり時の電圧がパルス的に過大にかかるようなオーバーシュート特性を持たせるよう補正している。これにより、液晶層１１Ｃに含まれる液晶分子の応答速度が特に中間調表示時に早くなり、動画表示性能が優れたものとなる。第１補正処理３３では、詳細は後述するが、表示面１１ＤＳに表示される画像に文字が含まれる場合、文字を表示する画素部ＰＸに隣接していて背景を表示する画素部ＰＸの表示階調を補正している。これにより、文字の周りに滲みが生じるのを防ぐことができる。明暗分離処理３４では、詳細は後述するが、Ｙ軸方向について隣り合う２つの画素部ＰＸを明画素部ＨＰＸと暗画素部ＬＰＸとに分離している。第２補正処理３５では、詳細は後述するが、Ｙ軸方向について隣り合う明画素部ＨＰＸ及び暗画素部ＬＰＸにおける目的階調値を、Ｙ軸方向についての位置情報などに基づいて補正して実行階調値を得ている。アナログガンマ処理３６では、第２補正処理３５を経て得られた各画素部ＰＸの実行階調値をアナログデータである電圧値、つまり実際にソース配線１６に供給する画像信号に変換している。
【００２２】
続いて、第１補正処理３３、明暗分離処理３４及び第２補正処理３５について詳しく説明する。まず、図５に示される記憶部２５には、表示領域ＡＡにおいてＹ軸方向に沿って並ぶ多数の画素部ＰＸにおけるＹ軸方向についての位置情報と、Ｙ軸方向について隣り合う２つずつの画素部ＰＸの組による階調値と、が少なくとも記憶されており、これらの情報に基づいて表示駆動部２４は、画素部ＰＸをＹ軸方向について順次に表示駆動することになる。第１補正処理３３では、表示駆動部２４は、Ｙ軸方向について図４に示される上側（表示駆動部２４による駆動開始側）から数えてｎ番目及び（ｎ＋１）番目の２つの画素部ＰＸの階調値と、これら２つの画素部ＰＸに関する表示面１１ＤＳの面内におけるＸ軸方向及びＹ軸方向についての位置情報と、を記憶部２５から参照する。第１補正処理３３では、表示駆動部は、ｎ番目及び（ｎ＋１）番目の２つの画素部ＰＸの階調値と、上記した位置情報と、に基づいて（ｎ＋１）番目の画素部ＰＸの階調値を第１補正階調値に変換し、変換された第１補正階調値を記憶部２５に記憶させる。これを繰り返し行うことで、全ての画素部ＰＸの第１補正階調値が記憶部２５に記憶される。このようにすれば、例えば表示面１１ＤＳに黒色（最小階調値）または白色（最大階調値）の文字と、文字に隣接する中間階調値の背景と、が表示される場合、文字を表示する画素部ＰＸと、背景を表示する画素部ＰＸと、の階調差が大きくなっていても、文字を表示する画素部ＰＸに隣接していて背景を表示する画素部ＰＸの表示階調を適切に補正することができる。これにより、画素部ＰＸに隣接していて背景を表示する画素部ＰＸを目的の階調に近い階調でもって表示駆動することができ、優れた表示品位が得られる。
【００２３】
明暗分離処理３４では、記憶部２５に記憶された第１補正階調値（第１補正処理３３を経た階調値）が参照され、この第１補正階調値に基づいてｎ番目の画素部ＰＸと（ｎ＋１）番目の画素部ＰＸとが、相対的に高輝度な明画素部ＨＰＸと相対的に低輝度な暗画素部ＬＰＸとに分離される。ｎ番目の画素部ＰＸが明画素部ＨＰＸとなる場合は、（ｎ＋１）番目の画素部ＰＸが暗画素部ＬＰＸとなり、逆にｎ番目の画素部ＰＸが暗画素部ＬＰＸとなる場合は、（ｎ＋１）番目の画素部ＰＸが明画素部ＨＰＸとなる。具体的には、例えば、記憶部２５に記憶された第１補正階調値が１２８階調の場合は、明画素部ＨＰＸの目的階調値が１４０階調となり、暗画素部ＬＰＸの目的階調値が１１６階調となるよう、明暗の分離処理がなされる。つまり、明画素部ＨＰＸ及び暗画素部ＬＰＸは、それぞれの目的階調値の平均階調がｎ番目及び（ｎ＋１）番目の２つの画素部ＰＸの第１補正階調値を平均した値となるよう設定される。明暗分離処理３４にて得られた明画素部ＨＰＸ及び暗画素部ＬＰＸの目的階調値は記憶部２５に記憶される。これにより、Ｙ軸方向について隣り合う明画素部ＨＰＸと暗画素部ＬＰＸとの平均階調を利用した表示を行うことができるので、視野角特性に優れる。
【００２４】
第２補正処理３５は、ｎ番目及び（ｎ＋１）番目の各画素部ＰＸ（明画素部ＨＰＸ及び暗画素部ＬＰＸ）の目的階調値と、（ｎ＋１）番目の画素部ＰＸ（明画素部ＨＰＸまたは暗画素部ＬＰＸ）における表示面１１ＤＳの面内でのＹ軸方向についての位置情報と、第２補正データテーブル（補正データテーブル）と、を記憶部２５から参照して行われる。第２補正データテーブルは、図７に示すように、ｎ番目及び（ｎ＋１）番目の各画素部ＰＸの目的階調値と、（ｎ＋１）番目の画素部ＰＸにおける実行階調値の基準となる基準実行階調値と、の関係を記したものである。第２補正データテーブルに記された基準実行階調値は、表示面１１ＤＳの面内においてＹ軸方向について表示駆動部２４の駆動終了端位置にある画素部ＰＸを基準として設定されている。表示駆動部２４は、記憶部２５に記憶された第２補正データテーブルを参照して基準実行階調値を取得する。例えば、ｎ番目の画素部ＰＸ（暗画素部ＬＰＸ）の目的階調値が１１６階調であり、（ｎ＋１）番目の画素部ＰＸ（明画素部ＨＰＸ）の目的階調値が１４０階調である場合には、第２補正データテーブルにおける上記した２つの目的階調値の交点に記された１５０階調が基準実行階調値として抽出される。
【００２５】
続いて、表示駆動部２４は、上記のようにして得られた基準実行階調値を、記憶部２５に記憶された第３補正データテーブルと、（ｎ＋１）番目の画素部ＰＸにおけるＹ軸方向についての位置情報と、に基づいて実行階調値に補正する。第３補正データテーブルには、図８に示すように、（ｎ＋１）番目の画素部ＰＸにおけるＹ軸方向についての位置情報に応じた補正係数が記されている。補正係数は、表示面１１ＤＳをＹ軸方向について分割した第１領域から第１０領域までの１０の領域に対して個別に設定されている。第１領域は、表示駆動部２４による駆動開始端側に存するのに対し、第１０領域は、表示駆動部２４による駆動終了端側に存する。補正係数は、第１領域にて最小値の「０．１」とされ、第１０領域にて最大値の「１．０」とされる。つまり、第３補正データテーブルに記された補正係数は、第１０領域（表示駆動部２４の駆動終了端位置）にある画素部ＰＸを基準として設定されている。そして、表示駆動部２４は、第２補正データテーブルから抽出した基準実行階調値と、（ｎ＋１）番目の画素部ＰＸにおける目的階調値と、の差分を演算し、その差分に対して第３補正データテーブルから抽出した補正係数を掛け合わせることで第２補正階調値を取得する。
【００２６】
その上で、表示駆動部２４は、得られた第２補正階調値を、（ｎ＋１）番目の画素部ＰＸにおける目的階調値に足し合わせることで実行階調値を取得する。例えば、基準実行階調値が１５０階調とされ、（ｎ＋１）番目の画素部ＰＸにおける目的階調値が１４０階調とされる場合は、差分として１０階調が得られる。（ｎ＋１）番目の画素部ＰＸが第１０領域に配されていた場合には、差分の１０階調に補正係数１．０を掛け合わせることで、第２補正階調値として１０階調が得られる。従って、第２補正階調値である１０階調を、（ｎ＋１）番目の画素部ＰＸにおける目的階調値である１４０階調に足し合わせることで、実行階調値として１５０階調が得られる。これに対し、（ｎ＋１）番目の画素部ＰＸが第１領域に配されていた場合には、差分の１０階調に補正係数０．１を掛け合わせることで、第２補正階調値として１階調が得られる。従って、第２補正階調値である１階調を、（ｎ＋１）番目の画素部ＰＸにおける目的階調値である１４０階調に足し合わせることで、実行階調値として１４１階調が得られる。このように（ｎ＋１）番目の画素部ＰＸの目的階調値を補正して得られた実行階調値は、記憶部２５に記憶される。その後、アナログガンマ処理３６では、記憶部２５に記憶された各画素部ＰＸの実行階調値が実際にソース配線１６に供給する画像信号に変換される。このようにすれば、ソース配線１６からＴＦＴ１３に供給される画像信号は、図９の実線に示されるように、立ち上がり形状及び立ち下がり形状が急峻な矩形波となる。図９の二点鎖線は、第２補正処理３５を行わない場合の画像信号の波形を表しており、この波形に比べると、第２補正処理３５を行うことで得られる画像信号の波形は、鈍りが少なくなっており、画素電極１４を適切な電圧（階調値）に充電することができる。これにより、優れた表示品位を得ることができる。
【００２７】
以上説明したように本実施形態の液晶表示装置（表示装置）１０は、複数の画素部ＰＸが行列状に配列される表示面１１ＤＳを有する液晶パネル（表示部品）１１と、複数の画素部ＰＸを列方向について順次に表示駆動する表示駆動部２４と、複数の画素部ＰＸにおける表示面１１ＤＳの面内における列方向についての位置情報と、列方向についての駆動順がｎ番目及び（ｎ＋１）番目の各画素部ＰＸの階調値と、を少なくとも記憶する記憶部２５と、を備え、表示駆動部２４は、ｎ番目及び（ｎ＋１）番目の各画素部ＰＸの階調値を記憶部２５から参照して（ｎ＋１）番目の画素部ＰＸの階調値を補正して得た第１補正階調値を記憶部２５に記憶させる第１補正処理３３と、ｎ番目及び（ｎ＋１）番目の各画素部ＰＸの階調値を記憶部２５から参照してこれに基づいてｎ番目の画素部ＰＸと（ｎ＋１）番目の画素部ＰＸとを相対的に高輝度な明画素部ＨＰＸと相対的に低輝度な暗画素部ＬＰＸとに分離して得た明画素部ＨＰＸ及び暗画素部ＬＰＸの目的階調値を記憶部２５に記憶させる明暗分離処理３４と、明暗分離処理３４の後に行われてｎ番目及び（ｎ＋１）番目の明画素部ＨＰＸ及び暗画素部ＬＰＸの目的階調値と、（ｎ＋１）番目の明画素部ＨＰＸまたは暗画素部ＬＰＸにおける表示面１１ＤＳの面内での列方向についての位置情報と、を記憶部２５から参照して（ｎ＋１）番目の明画素部ＨＰＸまたは暗画素部ＬＰＸの目的階調値を補正して得た（ｎ＋１）番目の明画素部ＨＰＸまたは暗画素部ＬＰＸの実行階調値を記憶部２５に記憶させる第２補正処理３５と、を少なくとも行う。
【００２８】
このようにすれば、液晶パネル１１の表示面１１ＤＳの面内において行列状に並ぶ複数の画素部ＰＸが表示駆動部２４により列方向について順次に表示駆動されることで、表示面１１ＤＳには所定の画像が表示される。詳しくは、表示駆動部２４により第１補正処理３３が行われると、列方向についてｎ番目及び（ｎ＋１）番目の各画素部ＰＸの階調値に基づいて（ｎ＋１）番目の画素部ＰＸの階調値が補正されて第１補正階調値が得られる。得られた第１補正階調値は記憶部２５に記憶される。ここで、例えば表示面１１ＤＳに黒色（最小階調値）または白色（最大階調値）の文字と、文字に隣接する中間階調値の背景と、が表示される場合、文字を表示する画素部ＰＸと、背景を表示する画素部ＰＸと、の階調差が大きくなるため、文字を表示する画素部ＰＸに隣接していて背景を表示する画素部ＰＸの表示階調が目的の値からずれる可能性がある。これに対し、上記した第１補正処理３３が行われれば、文字を表示する画素部ＰＸに隣接していて背景を表示する画素部ＰＸの表示階調が補正されることで目的の値に近くなり、それにより優れた表示品位が得られる。
【００２９】
一方、表示駆動部２４により明暗分離処理３４が行われると、記憶部２５に記憶されたｎ番目及び（ｎ＋１）番目の各画素部ＰＸの階調値に基づいてｎ番目の画素部ＰＸと（ｎ＋１）番目の画素部ＰＸとが相対的に高輝度な明画素部ＨＰＸと相対的に低輝度な暗画素部ＬＰＸとに分離される。明画素部ＨＰＸ及び暗画素部ＬＰＸは、それぞれの目的階調値の平均階調がｎ番目及び（ｎ＋１）番目の各画素部ＰＸの階調値を平均した値となるよう設定される。明画素部ＨＰＸ及び暗画素部ＬＰＸの目的階調値は、記憶部２５に記憶される。これにより、列方向について隣り合う明画素部ＨＰＸと暗画素部ＬＰＸとの平均階調を利用した表示を行うことができるので、視野角特性に優れる。
【００３０】
ところで、上記した明暗分離処理３４にて列方向について隣り合うｎ番目の画素部ＰＸと（ｎ＋１）番目の画素部ＰＸとを明画素部ＨＰＸと暗画素部ＬＰＸとに分離すると、その明暗の差に起因して実際の表示階調が目的階調値からずれる可能性がある。それに加えて、列方向について表示駆動部２４から遠い画素部ＰＸでは、列方向について表示駆動部２４に近い画素部ＰＸに比べると、電圧降下が生じ易く、それに起因して実際の表示階調が目的階調値からずれる可能性がある。その点、明暗分離処理３４の後で表示駆動部２４により第２補正処理３５が行われると、列方向についてｎ番目及び（ｎ＋１）番目の明画素部ＨＰＸ及び暗画素部ＬＰＸの目的階調値と、（ｎ＋１）番目の明画素部ＨＰＸまたは暗画素部ＬＰＸにおける表示面１１ＤＳの面内での列方向についての位置情報と、に基づいて（ｎ＋１）番目の明画素部ＨＰＸまたは暗画素部ＬＰＸの目的階調値が補正されて実行階調値が得られる。（ｎ＋１）番目の明画素部ＨＰＸまたは暗画素部ＬＰＸが記憶部２５に記憶された実行階調値に基づいて駆動されることで、ｎ番目の暗画素部ＬＰＸまたは明画素部ＨＰＸとの間に明暗の差が生じていても、（ｎ＋１）番目の明画素部ＨＰＸまたは暗画素部ＬＰＸの実際の表示階調を目的階調値に近くすることができ、優れた表示品位が得られる。しかも、（ｎ＋１）番目の明画素部ＨＰＸまたは暗画素部ＬＰＸの実行階調値は、列方向についての位置に応じたものに補正されているので、電圧降下に起因して実際の表示階調が目的階調値からずれる事態が生じ難くなる。以上により、従来のような専用設計の部品を要することなく、表示品位の向上が図られる。なお、上記した「ｎ」は、自然数である。
【００３１】
また、記憶部２５は、ｎ番目及び（ｎ＋１）番目の明画素部ＨＰＸ及び暗画素部ＬＰＸの目的階調値と、（ｎ＋１）番目の明画素部ＨＰＸまたは暗画素部ＬＰＸにおける実行階調値の基準となる基準実行階調値と、の関係を記した第２補正データテーブル（補正データテーブル）を記憶しており、表示駆動部２４は、第２補正処理３５では、記憶部２５に記憶された第２補正データテーブルを参照して基準実行階調値を取得し、（ｎ＋１）番目の明画素部ＨＰＸまたは暗画素部ＬＰＸにおける列方向についての位置情報に基づいて基準実行階調値を実行階調値に補正する。このようにすれば、第２補正処理３５が行われると、表示駆動部２４は、記憶部２５に記憶された第２補正データテーブルを参照し、列方向についてｎ番目及び（ｎ＋１）番目の明画素部ＨＰＸ及び暗画素部ＬＰＸの目的階調値に基づいて（ｎ＋１）番目の明画素部ＨＰＸまたは暗画素部ＬＰＸの基準実行階調値を取得する。この基準実行階調値は、列方向について所定の位置に配された画素部ＰＸにおける実行階調値であり、次述する列方向についての位置情報に基づく補正の基準となる値である。そして、表示駆動部２４は、（ｎ＋１）番目の明画素部ＨＰＸまたは暗画素部ＬＰＸにおける列方向についての位置情報に基づいて基準実行階調値を実行階調値に補正する。以上のように第２補正データテーブルを参照して得た基準実行階調値を用いるようにしているので、処理が簡単で済む。
【００３２】
また、記憶部２５は、（ｎ＋１）番目の明画素部ＨＰＸまたは暗画素部ＬＰＸにおける列方向についての位置に応じた補正係数を記憶しており、表示駆動部２４は、第２補正処理３５では、記憶部２５から（ｎ＋１）番目の明画素部ＨＰＸまたは暗画素部ＬＰＸにおける補正係数を参照し、基準実行階調値と（ｎ＋１）番目の明画素部ＨＰＸまたは暗画素部ＬＰＸにおける目的階調値との差分に補正係数を掛け合わせて得た第２補正階調値を（ｎ＋１）番目の明画素部ＨＰＸまたは暗画素部ＬＰＸにおける目的階調値に足し合わせることで実行階調値を得る。このようにすれば、第２補正処理３５が行われると、表示駆動部２４は、第２補正データテーブルを参照して得た基準実行階調値と（ｎ＋１）番目の明画素部ＨＰＸまたは暗画素部ＬＰＸにおける目的階調値との差分に、（ｎ＋１）番目の明画素部ＨＰＸまたは暗画素部ＬＰＸにおける列方向についての位置情報に応じた補正係数を掛け合わせることで、第２補正階調値を得る。そして、表示駆動部２４は、得られた第２補正階調値と、（ｎ＋１）番目の明画素部ＨＰＸまたは暗画素部ＬＰＸにおける目的階調値と、を足し合わせることで、実行階調値を得ている。
【００３３】
また、記憶部２５は、第２補正データテーブルに記される基準実行階調値及び補正係数が、複数の画素部ＰＸのうちの表示駆動部２４の駆動終了端位置にある画素部ＰＸを基準としている。表示駆動部２４の駆動終了端位置にある画素部ＰＸは、生じる電圧降下が最大となるので、それに起因する実際の表示階調と目的階調値とのずれも最大となる。第２補正データテーブルに記される基準実行階調値及び補正係数は、目的階調値からのずれが最大となる画素部ＰＸを基準としたものであるから、実行階調値を高い精度で補正することができる。
【００３４】
また、表示駆動部２４は、明暗分離処理３４を第１補正処理３３の後に行う。このようにすれば、明暗分離処理３４に先行して第１補正処理３３を行うことができる。
【００３５】
また、本実施形態に係るテレビ受信装置１０ＴＶは、上記記載の液晶表示装置１０を備える。このようなテレビ受信装置１０ＴＶによれば、液晶表示装置１０の表示品位が優れているから、表示品位に優れたテレビ画像の表示を実現することができる。
【００３６】
＜実施形態２＞
本発明の実施形態２を図１０によって説明する。この実施形態２では、表示駆動部による処理手順を変更したものを示す。なお、上記した実施形態１と同様の構造、作用及び効果について重複する説明は省略する。
【００３７】
本実施形態では、表示駆動部（図示せず）は、図１０に示すように、デジタルムラ補正処理１３０の前、つまり第１補正処理１３３の前に明暗分離処理１３４を行う。その後、表示駆動部は、デジタルムラ補正処理１３０、デジタルガンマ処理１３１及びオーバーシュート処理１３２を順次に行った後に第１補正処理１３３を行い、その後第２補正処理１３５及びアナログガンマ処理１３６を行う。
【００３８】
以上説明したように本実施形態によれば、表示駆動部は、明暗分離処理１３４を第１補正処理１３３の前に行う。このようにすれば、明暗分離処理１３４を行った後に第１補正処理１３３を行うことができる。
【００３９】
＜実施形態３＞
本発明の実施形態３を図１１によって説明する。この実施形態３では、上記した実施形態１から表示駆動部による処理手順を変更したものを示す。なお、上記した実施形態１と同様の構造、作用及び効果について重複する説明は省略する。
【００４０】
本実施形態に係る表示駆動部（図示せず）は、図１１に示すように、明暗分離処理２３４をオーバーシュート処理２３２の後で且つ第１補正処理２３３及び第２補正処理２３５の前に行う。具体的には、明暗分離処理２３４では、表示駆動部は、記憶部（図示せず）を参照してｎ番目及び（ｎ＋１）番目の各画素部（図示せず）の階調値を比較して差分を算出する。算出された差分が予め設定された閾値より高い場合は、表示駆動部は、それらの各画素部に関しては明暗分離処理２３４を行わない。つまり、階調値の差分が閾値を超えたｎ番目及び（ｎ＋１）番目の各画素部を明画素部及び暗画素部（図示せず）に分離しない。これに対し、算出された差分が閾値より低い場合は、表示駆動部は、それらの各画素部に関しては明暗分離処理２３４を行う。つまり、階調値の差分が閾値を超えたｎ番目及び（ｎ＋１）番目の各画素部を明画素部及び暗画素部に分離して目的階調値を記憶部に記憶させる。その後、表示駆動部は、明暗分離処理２３４が行われない画素部に関しては第１補正処理２３３を、明暗分離処理２３４が行われた画素部に関しては第２補正処理２３５を、それぞれ行う。詳しくは、表示駆動部は、ｎ番目及び（ｎ＋１）番目の各画素部のうち、先の明暗分離処理２３４にて明画素部及び暗画素部に分離されなかった各画素部に関しては第１補正処理２３３を行い、それらの階調値を補正して第１補正階調値を記憶部に記憶させる。これにより、画像の中に黒色または白色の文字が含まれていた場合には、その文字と中間階調値の背景との間に生じる大きな階調差を適切に補正することができる。これに対し、表示駆動部は、ｎ番目及び（ｎ＋１）番目の各画素部のうち、先の明暗分離処理２３４にて明画素部及び暗画素部に分離された各画素部に関しては、第１補正処理２３３を行わない。これにより、画像の中に文字が存在しない部分（背景のみの部分）が含まれていた場合には、中間階調値の背景（第２補正処理２３５が行われる部分）に対して第１補正処理２３３が行われるのを避けることができる。
【００４１】
一方、表示駆動部は、ｎ番目及び（ｎ＋１）番目の各画素部のうち、先の明暗分離処理２３４にて明画素部及び暗画素部に分離されず、第１補正処理２３３が行われる各画素部に関しては、第２補正処理２３５を行わない。これにより、画像において文字が含まれる部分（第１補正処理２３３が行われる部分）に対して第２補正処理２３５が行われるのを避けることができる。これに対し、表示駆動部は、ｎ番目及び（ｎ＋１）番目の各画素部のうち、先の明暗分離処理２３４にて明画素部及び暗画素部に分離されて、第１補正処理２３３が行われない各画素部に関しては、第２補正処理２３５を行い、明画素部及び暗画素部の目的階調値に基づいて明画素部または暗画素部の実行階調値を記憶部に記憶させる。これら第１補正処理２３３及び第２補正処理２３５を経た後、表示駆動部は、アナログガンマ処理２３６を行う。
【００４２】
以上説明したように本実施形態によれば、表示駆動部は、明暗分離処理２３４ではｎ番目及び（ｎ＋１）番目の各画素部の階調値を比較し、その差分が閾値より高い場合はｎ番目及び（ｎ＋１）番目の各画素部を明画素部及び暗画素部に分離せず、差分が閾値より低い場合はｎ番目及び（ｎ＋１）番目の各画素部を明画素部及び暗画素部に分離して目的階調値を記憶部に記憶させ、第１補正処理２３３では明暗分離処理２３４にて明画素部及び暗画素部に分離されなかったｎ番目及び（ｎ＋１）番目の各画素部の階調値を補正して第１補正階調値を記憶部に記憶させるのに対し、第２補正処理２３５では明暗分離処理２３４にて分離された明画素部及び暗画素部の目的階調値に基づいて明画素部または暗画素部の実行階調値を記憶部に記憶させる。このようにすれば、第１補正処理２３３の前に行われる明暗分離処理２３４では、表示駆動部は、ｎ番目及び（ｎ＋１）番目の各画素部の階調値を比較して差分を算出する。算出される差分が閾値より高い場合は、それらのｎ番目及び（ｎ＋１）番目の各画素部について明暗分離処理２３４を行わず、明画素部及び暗画素部に分離することがない。これに対し、算出される差分が閾値より低い場合は、ｎ番目及び（ｎ＋１）番目の各画素部について明暗分離処理２３４を行い、明画素部及び暗画素部に分離して目的階調値を記憶部に記憶させる。第１補正処理２３３では明暗分離処理２３４にて明画素部及び暗画素部に分離されなかったｎ番目及び（ｎ＋１）番目の各画素部の階調値を補正して第１補正階調値を記憶部に記憶させるのに対し、第２補正処理２３５では明暗分離処理２３４にて分離された明画素部及び暗画素部の目的階調値に基づいて明画素部または暗画素部の実行階調値を記憶部に記憶させる。
【００４３】
＜実施形態４＞
本発明の実施形態４を図１２によって説明する。この実施形態４では、上記した実施形態３から表示駆動部による処理手順を変更したものを示す。なお、上記した実施形態３と同様の構造、作用及び効果について重複する説明は省略する。
【００４４】
本実施形態に係る表示駆動部（図示せず）は、図１２に示すように、上記した実施形態２と同様に、明暗分離処理３３４をデジタルムラ補正処理３３０の前に行う。明暗分離処理３３４は、上記した実施形態３と同様に行われる。すなわち、明暗分離処理３３４では、表示駆動部は、記憶部（図示せず）を参照してｎ番目及び（ｎ＋１）番目の各画素部（図示せず）の階調値を比較して差分を算出する。表示駆動部は、算出された差分が予め設定された閾値より高い場合は、それらの各画素部に関しては明暗分離処理３３４を行わないものの、同差分が閾値より低い場合は、それらの各画素部に関しては明暗分離処理３３４を行う。その後、表示駆動部は、デジタルムラ補正処理３３０、デジタルガンマ処理３３１及びオーバーシュート処理３３２を順次に行った後に、明暗分離処理３３４が行われない画素部に関しては第１補正処理３３３を、明暗分離処理３３４が行われた画素部に関しては第２補正処理３３５を、それぞれ行う。これら第１補正処理３３３及び第２補正処理３３５は、上記した実施形態３と同様である。その後、表示駆動部は、アナログガンマ処理３３６を行う。
【００４５】
＜他の実施形態＞
本発明は上記記述及び図面によって説明した実施形態に限定されるものではなく、例えば次のような実施形態も本発明の技術的範囲に含まれる。
（１）上記した各実施形態以外にも、第２補正データテーブルに記された基準実行階調値の具体的な数値や、第３補正データテーブルに記された補正係数の具体的な数値などは適宜に変更可能である。
（２）上記した各実施形態では、第２補正データテーブルの基準実行階調値と、第３補正データテーブルの補正係数と、が第１０領域（表示駆動部の駆動終了端位置）にある画素部を基準として設定された場合を示したが、例えば第２補正データテーブルの基準実行階調値と、第３補正データテーブルの補正係数と、が第１領域（表示駆動部の駆動開始端位置）にある画素部を基準として設定されていても構わない。これ以外にも、第２領域から第９領域のいずれかの領域にある画素部を基準とした設定も採り得る。
（３）上記した各実施形態では、表示面をＹ軸方向について１０の領域に分割して各領域に補正係数を設定した場合を示したが、表示面の具体的な分割数及び補正係数の設定数は１０以外にも適宜に変更可能である。
（４）上記した各実施形態では、ドライバがフレキシブル基板にＣＯＦ実装される場合を示したが、ドライバが液晶パネルを構成するアレイ基板のＣＦ基板非重畳部に対してＣＯＧ（Chip On Glass）実装されていても構わない。
（５）上記した各実施形態以外にも、液晶パネルにおける画素電極（画素部）に対するソース配線の具体的な接続態様は適宜に変更可能である。
（６）上記した各実施形態では、表示駆動部及び記憶部がいずれもコントロール基板に設けられた場合を示したが、これらのいずれかまたは全てがコントロール基板以外の部品に設けられていても構わない。
（７）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
（８）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
（９）上記した各実施形態では、透過型の液晶表示装置を例示したが、それ以外にも反射型の液晶表示装置や半透過型の液晶表示装置にも本発明は適用可能である。
（１０）上記した各実施形態では、表示パネルとして液晶パネルを用いた液晶表示装置を例示したが、他の種類の表示パネルを用いた表示装置にも本発明は適用可能である。
（１１）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
（１２）上記した実施形態１，２では、全ての画素部に対して第１補正処理及び第２補正処理を行う場合を示したが、実施形態３，４のように、明暗補正処理を行わない画素部には第１補正処理を行うものの第２補正処理を行わず、明暗補正処理を行う画素部には第２補正処理を行うものの第１補正処理を行わないようにすることも可能である。
（１３）上記した各実施形態以外にも、明暗分離処理を行うタイミングは適宜に変更可能である。
【符号の説明】
【００４６】
１０…液晶表示装置（表示装置）、１０ＴＶ…テレビ受信装置、１１…液晶パネル（表示部品）、１１ＤＳ…表示面、２４…表示駆動部、２５…記憶部、３３，１３３，２３３，３３３…第１補正処理、３４，１３４，２３４，３３４…明暗分離処理、３５，１３５，２３５，３３５…第２補正処理、ＨＰＸ…明画素部、ＬＰＸ…暗画素部、ＰＸ…画素部
【図１】
2019204019.tif 000003
【図２】
2019204019.tif 000004
【図３】
2019204019.tif 000005
【図４】
2019204019.tif 000006
【図５】
2019204019.tif 000007
【図６】
2019204019.tif 000008
【図７】
2019204019.tif 000009
【図８】
2019204019.tif 000010
【図９】
2019204019.tif 000011
【図１０】
2019204019.tif 000012
【図１１】
2019204019.tif 000013
【図１２】
2019204019.tif 000014